(57)【要約】【課題】周波数、振幅及び時間の各次元で取得されたＡＰＤに基づいて、注視した次元の特定値を中心に、各種の次元のグラフを容易に切り替えて、観察できる技術を提供する。【解決手段】ＡＰＤ部３００が出力する各周波数成分の振幅の振幅確率を時間経過に対応して記憶する記憶部４００に記憶しておき、グラフ生成部５１０は、記憶部から最新の記憶内容を得て、周波数、振幅、振幅確率及び時間のいずれか２つを次元とする座標に他の１つをパラメータとする第１のグラフを表示部に表示させ、指定マーカ生成部５２０は、表示されている第１のグラフ上の２つの次元又はパラメータのいずれかを特定値として指定する指定マーカを表示させ、画面制御部は、特定値を指定された前記２つの次元又はパラメータを該特定値に固定したときの、新たな組合せの次元及びパラメータについての第２のグラフをグラフ生成部に生成させて、表示させる構成とした。【選択図】図１
2010237151.tif 000002
【特許請求の範囲】
【請求項１】
被測定信号の周波数成分を分析する周波数分析部（１００）と、分析された各周波数成分の振幅をそれぞれ検出するレベル検出部（２００）と、検出された各周波数成分の振幅について単位時間当たりの振幅確率を時間経過毎に求めるＡＰＤ部（３００）と、該ＡＰＤ部が出力する各周波数成分の振幅の振幅確率を時間経過に対応して記憶する記憶部（４００）と、表示部（６００）と、操作部（７００）と、前記記憶部の記憶内容に基づいて前記表示部に各種のグラフを表示させる表示制御部（５００）とを備えたＡＰＤ測定装置であって、
前記表示制御部は、前記記憶部に所定タイミングでアクセスして得られた最新の前記記憶内容に基づいて、前記周波数、前記振幅、前記振幅確率及び前記時間のうち、少なくともいずれか２つを次元とする座標に他の１つをパラメータとする第１のグラフを前記表示部に表示させるグラフ生成部（５１０）と、該表示部に表示されている第１のグラフ上の前記２つの次元又はパラメータにおける特定の値又は特定の範囲のいずれかを特定値として指定する指定マーカを表示させる指定マーカ生成部（５２０）と、前記操作部からの切り替え指示を受けて、該特定値を指定された前記２つの次元又はパラメータを該特定値に固定したときの、新たな組合せの次元及びパラメータについての第２のグラフを前記グラフ生成部に生成させる画面制御部（５３０）と、を備えたことを特徴とするＡＰＤ測定装置。
【請求項２】
前記グラフ生成部は、前記第２のグラフとして、前記周波数、前記振幅、前記振幅確率及び前記時間のうち、前記特定値を指定された次元又はパラメータとなる１つを除く、３つのうちいずれか２つを次元とする座標上に残りの１つをパラメータとする新たなグラフを生成することを特徴とする請求項１に記載のＡＰＤ測定装置。
【請求項３】
被測定信号の周波数成分を分析する周波数分析部（１００）と、分析された各周波数成分の振幅をそれぞれ検出するレベル検出部（２００）と、検出された各周波数成分の振幅について単位時間当たりの振幅確率を時間経過毎に求めるＡＰＤ部（３００）と、該ＡＰＤ部が出力する各周波数成分の振幅の振幅確率を時間経過に対応して記憶する記憶部（４００）と、表示部（６００）と、操作部（７００）と、前記記憶部の記憶内容に基づいて前記表示部に各種のグラフを表示させる表示制御部（５００）とを備えたＡＰＤ測定装置であって、
前記表示制御部は、前記記憶部に所定タイミングでアクセスして得られた最新の前記記憶内容に基づいて、前記周波数、前記振幅、前記振幅確率及び前記時間のうち、２つを次元とする座標に他の１つをパラメータとする、又はいずれか３つを次元とする第１のグラフを前記表示部に表示させるグラフ生成部（５１０）と、該表示部に表示されている第１のグラフ上の前記いずれかの次元における特定の値又は特定の範囲のいずれかを特定値として指定する指定マーカを表示させる指定マーカ生成部（５２０）と、前記操作部からの切り替え指示を受けて、該特定値を指定された前記いずれかの次元を該特定値に固定したときの、新たな組合せの次元及びパラメータについて第２のグラフを前記グラフ生成部に生成させる画面制御部（５３０）と、を備えたことを特徴とするＡＰＤ測定装置。
【請求項４】
前記指定マーカ生成部（５２０）該表示部に表示されている第１のグラフ上の前記いずれかの次元及びパラメータから選択的に、特定の値又は特定の範囲のいずれかを特定値として指定する指定マーカを表示させ、
前記画面制御部は、前記操作部からの切り替え指示を受けて、該特定値を指定された前記いずれかの次元又はパラメータを選択的に該特定値に固定したときの、新たな組合せの次元及びパラメータについて第２のグラフを前記グラフ生成部に生成させる、ことを特徴とする請求項３に記載のＡＰＤ測定装置。
【請求項５】
前記グラフ生成部は、前記時間が特定値であるときに前記周波数と前記振幅確率とでなる座標上に振幅範囲をパラメータとするグラフ、前記時間が特定値であるときに前記周波数と前記振幅とでなる座標上に振幅確率範囲をパラメータとするグラフ、前記振幅確率範囲が特定値であるときに前記周波数と前記時間とでなる座標上に前記振幅範囲をパラメータとするグラフ、及び前記振幅が特定値であるときに前記周波数と前記時間とでなる座標上に前記振幅確率範囲をパラメータとするグラフ、前記振幅が特定値であるときに前記時間と前記振幅確率とでなる座標上に前記周波数をパラメータとするグラフ、前記振幅確率が特定値であるときに前記時間と前記振幅とでなる座標上に前記周波数をパラメータとするグラフ、前記振幅確率範囲が特定値であるときに前記周波数、前記時間及び前記振幅を座標とするグラフ、前記振幅範囲が特定値であるときに前記周波数、及び前記時間及び前記振幅確率を座標とするグラフ、の８つのグラフのいずれかを、前記記憶手段の最新の内容に基づいて生成可能にされ、
前記画面制御部は、前記８つのグラフのいずれが前記第１のグラフとして表示されているときに、前記指定マーカ生成部で指定された次元の特定値を基に、前記８つのグラフの他のいずれかのグラフに切り替えて、前記表示部に表示させることを特徴とする請求項３に記載のＡＰＤ測定装置。
【請求項６】
前記グラフ生成部は、前記８つのグラフに加え、前記時間が特定値であるときに前記レベルと前記振幅確率とでなる座標上に周波数をパラメータとするグラフ、を含む９つのグラフのいずれかを、前記記憶手段の最新の内容に基づいて生成可能にされ、
前記画面制御部は、前記９つのグラフのいずれが前記第１のグラフとして表示されているときに、前記指定マーカ生成部で指定された次元の特定値を基に、前記９つのグラフの他のいずれかのグラフに切り替えて、前記表示部に表示させることを特徴とする請求項５に記載のＡＰＤ測定装置。
【請求項７】
前記グラフ生成部は、前記時間が特定値であるときに前記周波数と前記振幅確率とでなる座標上に振幅範囲をパラメータとするグラフＡ、前記時間が特定値であるときに前記周波数と前記振幅とでなる座標上に振幅確率範囲をパラメータとするグラフＢ、前記振幅が特定値であるときに前記周波数と前記時間とでなる座標上に前記振幅確率範囲をパラメータとするグラフＣ、前記振幅確率範囲が特定値であるときに前記周波数と前記時間とでなる座標上に前記振幅範囲をパラメータとするグラフＤ、前記振幅が特定値であるときに前記時間と前記振幅確率とでなる座標上に前記周波数をパラメータとするグラフＥ、前記振幅確率が特定値であるときに前記時間と前記振幅とでなる座標上に前記周波数をパラメータとするグラフＦ、前記振幅範囲が特定値であるときに前記周波数、及び前記時間及び前記振幅確率を座標とするグラフＨ、及び前記振幅確率範囲が特定値であるときに前記周波数、前記時間及び前記振幅を座標とするグラフＧ、の８つのグラフのいずれかを、前記記憶手段の最新の内容に基づいて生成可能にされ、
前記画面制御部は、前記グラフＡとＢとを含むグループ、前記グラフＣとＤとを含むグループ、前記グラフＥとＦとを含むグループ、前記グラフＧとＨとを含むグループ、の４グループのいずれかのグループのグラフが前記第１のグラフとして表示されているときに、該第１のグラフ上で前記指定マーカ生成部で指定された次元の特定値を基に、前記他のグループのいずれかのグラフに切り替えて、前記表示部に表示させることを特徴とする請求項３に記載のＡＰＤ測定装置。
【請求項８】
前記グラフ生成部は、前記８つのグラフに加え、前記時間が特定値であるときに前記レベルと前記振幅確率とでなる座標上に周波数をパラメータとするグラフを含むグループＪを、含む５グループのグラフのいずれかを、前記記憶手段の最新の内容に基づいて生成可能にされ、
前記画面制御部は、前記９つのグラフのいずれが前記第１のグラフとして表示されているときに、前記指定マーカ生成部で指定された次元の特定値を基に、他のグループのいずれかのグラフに切り替えて、前記表示部に表示させることを特徴とする請求項７に記載のＡＰＤ測定装置。
【発明の詳細な説明】
【技術分野】
【０００１】
本発明は、信号の周波数成分を分析し、各周波数成分の大きさが所定時間中に所定の閾値を超える確率（振幅確率分布、或いは、単に時間率と言われる。以下「ＡＰＤ」と言う。）を測定するＡＰＤ測定装置に関する。特に、ＡＰＤの変化を観察しやすくしたＡＰＤ測定装置である。
【背景技術】
【０００２】
ＡＰＤ測定技術は従来からあり、例えば、ＡＰＤを高い振幅分解能と時間分解能で測定する特許文献１の技術があり、それをスペクトラムアナライザ等へ適用し、種々の表示を試みた例として特許文献２の技術がある。
【０００３】
一方、最近、通信方式により、所定複数周波数成分のＡＰＤを並列に同時に測定する必要性が要求されてきている。例えば、非特許文献１に記載のように、地上デジタル放送の規格は電波産業会（ＡＲＩＢ）によってＡＲＩＢ標準規格として、ＯＦＤＭ方式（Ｏｒｔｈｏｇｏｎａｌ  Ｆｒｅｑｕｅｎｃｙ  Ｄｉｖｉｓｉｏｎ  Ｍｕｌｔｉｐｌｅｘ  Ｏｐｅｒａｔｉｏｎ  Ｍｏｄｅ）による変調方式が定められている。そして、このＯＦＤＭ方式では、伝送データを所定の帯域に数千本の低速データに分けて、デジタル変調を行う。例えば、その所定の帯域が約５．６ＭＨｚであり、伝送データを約１ｋＨｚの搬送波（キャリア）単位で分けて、計５、６００本に分けてデジタル変調している。
【０００４】
したがって、ＯＦＤＭ方式におけるＡＰＤ測定は、信号成分を約１ｋＨｚ毎に周波数分析して、各周波数成分のＡＰＤを並列に測定することが望まれる。また、特許文献１，２に記載のＡＰＤで並列に測定可能である。
【０００５】
ＡＰＤの表示については、特許文献２では確率分布を確率の範囲毎に帯表示させることにより、分布を視認しやすいように識別して表示させている。
【先行技術文献】
【特許文献】
【０００６】
【特許文献１】特許第３１５６１５２号公報
【特許文献２】特許第３３７４１５４号公報
【非特許文献】
【０００７】
【非特許文献１】東芝レビューＶＯＬ．５８  Ｎｏ．１２（２００３年）、ｐ．２〜６
【発明の概要】
【発明が解決しようとする課題】
【０００８】
ところで、上記の地上デジタル放送でのＡＰＤ測定のように同時に（並列に）ＡＰＤを測定すべき対象とする周波数の数が多いこと、さらに到来信号（或いは雑音）の統計的傾向を調査或いは監視をするために、測定に要する時間が長時間（数時間から２４時間を超える場合がある。）であること等から、表示にあたっても、同時測定している周波数成分の測定結果をできるだけ多く同時表示させること、そして、測定時間全体について結果が表示できることが望ましい。
【０００９】
一方、ＡＰＤの統計的事象を形成する因子としては、測定対象とする信号の周波数及び振幅、さらに事象が生ずる時間、がある。したがって、統計的事象を観察するにしても、ＡＰＤ、周波数、振幅及び時間の４つの次元（以下、上記の因子にＡＰＤを加え、便宜的に「次元」と称する。これは、後記するグラフ生成時に、ＡＰＤ、周波数、振幅及び時間をグラフの座標を構成するときの次元として使用するため。）で同時には困難であるから、これら４つの次元から複数を組みあわて観察せざるを得ない。また、これらの次元を組み合わせでなる座標上の表示するにしても、座標の次元が多くなるほど、一部の次元では、定量的な把握しにくくなる。例えば、３次元座標では、全体の概略傾向をみるには便利であるが奥行き方向を定量的に把握しづらい。また、表示画面も有限である。
【００１０】
そうすると、２次元又は３次元の次元を変えた座標のグラフを切り替えて表示させることが望ましい。しかし、単純にグラフを切り替えただけであれば、観察者が切り替え前に注視していたデータの座標位置が、切り替え後のグラフのどの座標位置にあるか、探さなくてはならないことがある。
【００１１】
一般に、測定対象の信号（ノイズを含む）の発生の状況を、ＡＰＤ、周波数、振幅及び時間の次元で統計的に分析しようとしたとき、各次元間の因果関係は、元々不明であるから、観察者は、各次元で統計的に観察することがある。そのとき、ある次元のグラフで注視したデータが、他の次元とどのような傾向にあるか、その関係を観察したい場合がある。そうしたとき、注視したデータを中心に次元の異なるグラフに切り替えられることが望まれる。
【００１２】
本発明の目的は、周波数、振幅及び時間の各次元で取得されたＡＰＤに基づいて、あるグラフで注視した次元の特定値を基に、その特定値と他の次元との関係を示すグラフに切り替えられるようにすることで、注視した次元における特定値と他の次元との関係が、容易に観察できる技術を提供する。
【課題を解決するための手段】
【００１３】
本発明の目的を達成するため、請求項１に記載の発明は、被測定信号の周波数成分を分析する周波数分析部（１００）と、分析された各周波数成分の振幅をそれぞれ検出するレベル検出部（２００）と、検出された各周波数成分の振幅について単位時間当たりの振幅確率を時間経過毎に求めるＡＰＤ部（３００）と、該ＡＰＤ部が出力する各周波数成分の振幅の振幅確率を時間経過に対応して記憶する記憶部（４００）と、表示部（６００）と、操作部（７００）と、前記記憶部の記憶内容に基づいて前記表示部に各種のグラフを表示させる表示制御部（５００）と、を備えたＡＰＤ測定装置であって、前記表示制御部は、前記記憶部に所定タイミングでアクセスして得られた最新の前記記憶内容に基づいて、前記周波数、前記振幅、前記振幅確率及び前記時間のうち、少なくともいずれか２つを次元とする座標に他の１つをパラメータとする第１のグラフを前記表示部に表示させるグラフ生成部（５１０）と、該表示部に表示されている第１のグラフ上の前記２つの次元又はパラメータにおける特定の値又は特定の範囲のいずれかを特定値として指定する指定マーカを表示させる指定マーカ生成部（５２０）と、前記操作部からの切り替え指示を受けて、該特定値を指定された前記２つの次元又はパラメータを該特定値に固定したときの、新たな組合せの次元及びパラメータについての第２のグラフを前記グラフ生成部に生成させる画面制御部（５３０）と、を備えた。
【００１４】
請求項２に記載の発明は、請求項１に記載の発明において、前記グラフ生成部は、前記第２のグラフとして、前記周波数、前記振幅、前記振幅確率及び前記時間のうち、前記特定値を指定された次元又はパラメータとなる１つを除く、３つのうちいずれか２つを次元とする座標上に残りの１つをパラメータとする新たなグラフを生成する構成とした。
【００１５】
請求項３に記載の発明は、被測定信号の周波数成分を分析する周波数分析部（１００）と、分析された各周波数成分の振幅をそれぞれ検出するレベル検出部（２００）と、検出された各周波数成分の振幅について単位時間当たりの振幅確率を時間経過毎に求めるＡＰＤ部（３００）と、該ＡＰＤ部が出力する各周波数成分の振幅の振幅確率を時間経過に対応して記憶する記憶部（４００）と、表示部（６００）と、操作部（７００）と、前記記憶部の記憶内容に基づいて前記表示部に各種のグラフを表示させる表示制御部（５００）と、を備えたＡＰＤ測定装置であって、前記表示制御部は、前記記憶部に所定タイミングでアクセスして得られた最新の前記記憶内容に基づいて、前記周波数、前記振幅、前記振幅確率及び前記時間のうち、２つを次元とする座標に他の１つをパラメータとする、又はいずれか３つを次元とする第１のグラフを前記表示部に表示させるグラフ生成部（５１０）と、該表示部に表示されている第１のグラフ上の前記いずれかの次元における特定の値又は特定の範囲のいずれかを特定値として指定する指定マーカを表示させる指定マーカ生成部（５２０）と、前記操作部からの切り替え指示を受けて、該特定値を指定された前記いずれかの次元を該特定値に固定したときの、新たな組合せの次元及びパラメータについて第２のグラフを前記グラフ生成部に生成させる画面制御部（５３０）と、を備えた。
【００１６】
請求項４に記載の発明は、請求項３に記載の発明において、前記指定マーカ生成部（５２０）は該表示部に表示されている第１のグラフ上の前記いずれかの次元及びパラメータから選択的に、特定の値又は特定の範囲のいずれかを特定値として指定する指定マーカを表示させ、前記画面制御部は、前記操作部からの切り替え指示を受けて、該特定値を指定された前記いずれかの次元又はパラメータを選択的に該特定値に固定したときの、新たな組合せの次元及びパラメータについて第２のグラフを前記グラフ生成部に生成させる構成とした。
【００１７】
請求項５に記載の発明は、請求項３に記載の発明において、前記グラフ生成部は、前記時間が特定値であるときに前記周波数と前記振幅確率とでなる座標上に振幅範囲をパラメータとするグラフ、前記時間が特定値であるときに前記周波数と前記振幅とでなる座標上に振幅確率範囲をパラメータとするグラフ、前記振幅確率範囲が特定値であるときに前記周波数と前記時間とでなる座標上に前記振幅範囲をパラメータとするグラフ、及び前記振幅が特定値であるときに前記周波数と前記時間とでなる座標上に前記振幅確率範囲をパラメータとするグラフ、前記振幅が特定値であるときに前記時間と前記振幅確率とでなる座標上に前記周波数をパラメータとするグラフ、前記振幅確率が特定値であるときに前記時間と前記振幅とでなる座標上に前記周波数をパラメータとするグラフ、前記振幅確率範囲が特定値であるときに前記周波数、前記時間及び前記振幅を座標とするグラフ、前記振幅範囲が特定値であるときに前記周波数、及び前記時間及び前記振幅確率を座標とするグラフ、の８つのグラフのいずれかを、前記記憶手段の最新の内容に基づいて生成可能にされ、前記画面制御部は、前記８つのグラフのいずれが前記第１のグラフとして表示されているときに、前記指定マーカ生成部で指定された次元の特定値を基に、前記８つのグラフの他のいずれかのグラフに切り替えて、前記表示部に表示させる構成とした。
【００１８】
請求項６に記載の発明は、請求項５に記載の発明において、前記グラフ生成部は、前記８つのグラフに加え、前記時間が特定値であるときに前記レベルと前記振幅確率とでなる座標上に周波数をパラメータとするグラフ、を含む９つのグラフのいずれかを、前記記憶手段の最新の内容に基づいて生成可能にされ、前記画面制御部は、前記９つのグラフのいずれが前記第１のグラフとして表示されているときに、前記指定マーカ生成部で指定された次元の特定値を基に、前記９つのグラフの他のいずれかのグラフに切り替えて、前記表示部に表示させる構成とした。
【００１９】
請求項７に記載の発明は、請求項３に記載の発明において、前記グラフ生成部は、前記時間が特定値であるときに前記周波数と前記振幅確率とでなる座標上に振幅範囲をパラメータとするグラフＡ、前記時間が特定値であるときに前記周波数と前記振幅とでなる座標上に振幅確率範囲をパラメータとするグラフＢ、前記振幅が特定値であるときに前記周波数と前記時間とでなる座標上に前記振幅確率範囲をパラメータとするグラフＣ、前記振幅確率範囲が特定値であるときに前記周波数と前記時間とでなる座標上に前記振幅範囲をパラメータとするグラフＤ、前記振幅が特定値であるときに前記時間と前記振幅確率とでなる座標上に前記周波数をパラメータとするグラフＥ、前記振幅確率が特定値であるときに前記時間と前記振幅とでなる座標上に前記周波数をパラメータとするグラフＦ、前記振幅範囲が特定値であるときに前記周波数、及び前記時間及び前記振幅確率を座標とするグラフＨ、及び前記振幅確率範囲が特定値であるときに前記周波数、前記時間及び前記振幅を座標とするグラフＧ、の８つのグラフのいずれかを、前記記憶手段の最新の内容に基づいて生成可能にされ、前記画面制御部は、前記グラフＡとＢとを含むグループ、前記グラフＣとＤとを含むグループ、前記グラフＥとＦとを含むグループ、前記グラフＧとＨとを含むグループ、の４グループのいずれかのグループのグラフが前記第１のグラフとして表示されているときに、該第１のグラフ上で前記指定マーカ生成部で指定された次元の特定値を基に、前記他のグループのいずれかのグラフに切り替えて、前記表示部に表示させる構成とした。
【００２０】
請求項８に記載の発明は、請求項７に記載の発明において、前記グラフ生成部は、前記８つのグラフに加え、前記時間が特定値であるときに前記レベルと前記振幅確率とでなる座標上に周波数をパラメータとするグラフを含むグループＪを、含む５グループのグラフのいずれかを、前記記憶手段の最新の内容に基づいて生成可能にされ、前記画面制御部は、前記９つのグラフのいずれが前記第１のグラフとして表示されているときに、前記指定マーカ生成部で指定された次元の特定値を基に、他のグループのいずれかのグラフに切り替えて、前記表示部に表示させる構成とした。
【発明の効果】
【００２１】
この発明によれば、周波数、振幅及び時間の各次元（因子）で取得されたＡＰＤに基づいて、指定マーカで指定された注視したい次元における特定値を基に関係する他の次元のグラフに容易に切り替えられるので、観察がしやすい。例えば、前記周波数と前記振幅とでなる座標上に振幅確率範囲をパラメータとするグラフを観察しているときに、特定の振幅値範囲にある振幅確率の時間経過を知りたいとき、指定マーカで注視したい振幅範囲を特定して画面を切り替えることで、例えば、前記振幅が特定値に固定した前記周波数と前記時間とでなる座標上に前記振幅確率範囲をパラメータとするグラフを表示させて、振幅範囲が特定値における振幅確率の時間経過を観察できる。
【図面の簡単な説明】
【００２２】
【図１】本発明に係る実施形態の機能構成を示す図である。
【図２】本実施形態における表示するグラフの態様及びその切り替え態様を説明するための図である。
【図３】時間が特定値に固定で、周波数を横軸とし振幅確率（ＡＰＤ）を縦軸とする座標上に振幅（レベル）範囲をパラメータとするグラフの表示例を示す図である。
【図４】時間が特定値に固定で、周波数を横軸としレベルを縦軸とする座標上に振幅確率（ＡＰＤ）範囲をパラメータとするグラフの表示例を示す図である。
【図５】振幅（レベル）範囲が特定値に固定で、周波数を横軸とし時間を縦軸とする座標上に振幅確率（ＡＰＤ）範囲をパラメータとするグラフの表示例を示す図である。
【図６】振幅確率（ＡＰＤ）範囲が特定値に固定で、周波数を横軸とし時間を縦軸とする座標上に振幅（レベル）範囲をパラメータとするグラフの表示例を示す図である。
【図７】周波数毎（周波数がパラメータ）にレベル範囲が特定値に固定で、時間を横軸とし振幅確率（ＡＰＤ）を縦軸とする座標のグラフの表示例を示す図である。
【図８】周波数毎（周波数がパラメータ）に振幅確率（ＡＰＤ）範囲が特定値に固定で、時間を横軸とし振幅（レベル）を縦軸とする座標のグラフの表示例を示す図である。
【図９】振幅（レベル）を横軸としＡＰＤを縦軸とする座標上に周波数をパラメータとするレイリー尺のグラフの表示例を示す図である。
【図１０】振幅（レベル）を横軸としＡＰＤを縦軸とする座標上に周波数をパラメータとする対数尺のグラフの表示例を示す図である。
【図１１】振幅（レベル）範囲を特定値に固定し、周波数を横軸とし振幅確率（ＡＰＤ）を縦軸とし時間を奥行き方向の軸をする３次元座標上に周波数をパラメータとするグラフの表示例を示す図である。
【図１２】振幅確率（ＡＰＤ）範囲を特定値に固定し、周波数を横軸とし振幅（レベル）を縦軸とし時間を奥行き方向の軸をする３次元座標上に周波数をパラメータとするグラフの表示例を示す図である。
【図１３】ピークマーカを説明するための図である。
【図１４】フルスパン、及び、ゾーンマーカと拡大／縮小を説明するための図である。
【発明を実施するための形態】
【００２３】
本発明に係る実施形態について、図面を参照しながら説明する。
【００２４】
図１に基づいて、動作順に構成・動作を説明する。
図１において、周波数分析部１００は、測定しようとする所望の周波数帯（広帯域）の入力信号を選択し、さらに狭い所望の周波数帯域（狭帯域）に分けて選択するものであって、帯域選択手段１１０、Ａ／Ｄ変換手段１２０、及び周波数選択手段１３０で構成される。帯域選択手段１１０としては、例えば、高周波の通信周波数帯域におけるノイズを測定しようとするなら、いわば特許文献２に示されるようなヘテロダイン方式を採用することができる。つまり、入力信号（ノイズ）を局部発振器でミキシングして低周波数の信号に変換して、ここで所望の周波数帯域（δＦ）のバンドパスフィルタを用いて必要な周波数帯の周波数成分に制限する。なお、測定対象の信号の周波数帯域が低く、Ａ／Ｄ変換手段１２０が直接に利用できる周波数帯であれば、帯域選択手段１１０は必ずしも必要ではない。
【００２５】
Ａ／Ｄ変換手段１２０は、帯域選択手段１１０で帯域制限された低周波数の周波数成分（信号）を受け、クロック発生器（不図示）からの周期のクロックで振幅（レベル）幅ΔＬの細かさ（この細かさに応じた閾値がある。）で標本化（サンプリング）し、デジタルデータに変換する。後に求められる振幅確率（ＡＰＤ）は、この標本化時のレベル幅ΔＬの細かさ毎に求められる。
【００２６】
周波数選択手段１３０は、δＦの周波数帯域に亘る低周波信号を受けて、さらにｎ個（以下、ｎ（数値）チャンネル、或いはｎ（数値）ＣＨということがある。）のバンドパスフィルタ群により更に細かい周波数帯域（δＦ／ｎ）に切り分ける。例えば、通信回線のチャンネルが１ｋＨｚ毎であれば中心周波数が１ｋＨｚづつズレ、かつ周波数帯域がほぼ１ｋＨｚのバンドパスフィルタをＢＰＦ１〜ＢＰＦｎのｎ個を備える。周波数選択手段１３０は、例えば、フィルタバンクとして、ＣＰＵによりソフト的にＦＦＴ処理して行える。
【００２７】
レベル検出部２００は、周波数選択手段１３０のバンドパスフィルタのそれぞれの出力に対応した振幅、つまり各チャンネルの振幅を検出する検波器ＤＥＴ１〜ＤＥＴｎを有し、それぞれチャンネルの周波数成分（バンドパスフィルタの中心周波数に該当）の振幅（レベル）を検出する。
【００２８】
ＡＰＤ部３００は、検波器ＤＥＴ１〜ＤＥＴｎに対応して振幅確率を測定するＡＰＤ検出器であるＡＰＤ１〜ＡＰＤｎ、クロック発生部３１０、及び範囲分類手段３２０を備える。ＡＰＤ１〜ＡＰＤｎのそれぞれの構成、動作は、同じであって、検波器ＤＥＴ１〜ＤＥＴｎの出力をＬＯＧ変換器で対数変換して振幅の単位を「ｄＢ」変換して振幅確率を測定している。振幅確率を測定するＡＰＤ検出器であるＡＰＤとしては、ここでは、従来のＡＰＤを採用できる。例えば、特許文献２に記載のＡＰＤ、或いは、特願２００６−２５３８８９号公報に記載のＡＰＤが使用できる。
【００２９】
ＡＰＤ１〜ＡＰＤｎは、振幅確率（分布）を測定する。振幅確率は、同じ大きさの入力信号が所定の時間範囲（期間：Δｔ）内に受ける回数（発生する回数）を表す。入力信号の大きさを区別する細かさは、この例では、Ａ／Ｄ変換手段１２０の細かさΔＬと同じである。確率を測定する時間範囲Δｔは、クロック発生部３１０からのコントロールに従う。クロック発生部３１０は、パルス発生器とタイマーを用いて、例えば時間範囲Δｔとして、１ｓｅｃ間隔、１０秒間隔、或いは１分間隔（いずれも、これらの時間周期のパルスでも良い。）、等のタイミング信号を発生してＡＰＤ１〜ＡＰＤｎに対し、それらの時間範囲内で受ける入力信号の大きさの頻度を測定させることにより、振幅確率を測定させる。操作部７００からの指示で制御部８００を通してタイマーのカウント時間を変更して時間範囲Δｔを変更できる構成にしても良い。
【００３０】
範囲分類手段３２０は、ＡＰＤ１〜ＡＰＤｎがそれぞれ演算して求めた振幅確率の値に応じて、ある範囲に分類する。これは、例えば、１％の分解能で調査しても良いが、その調査目的に応じた分解能で、調査に適切な範囲に分類するために設けた機能である。この実施形態では、操作部７００からの指示で振幅確率が０から１％、１％から１０％、１０％から５０％、５０％から１００％の４段階に分類している。分類の仕方としては、例えば、ＡＰＤ１〜ＡＰＤｎが求めた振幅確率の値と、分類した範囲に相当する複数の閾値とを比較して、比較結果が属する範囲の確率分類識別札を付す。操作部７００からの指示で制御部８００を通して所望の閾値に変更することにより、分類範囲を変更できる構成にしても良い。なお、ＡＰＤ１〜ＡＰＤｎからは、速ければ、時間範囲Δｔ毎に、更新された振幅確率値が集計されて出力される。また、範囲分類手段３２０は、レベル検出部２００で検出した各振幅を例えばレベル測定範囲の全範囲が０ｄＢｍからー１００ｄＢｍであれば、２０ｄＢ間隔に分類して、振幅確率と同様に、振幅分類札を付しておく。
【００３１】
記憶部４００は、ＡＰＤ１〜ＡＰＤｎから出力される振幅値とその振幅確率値とを時間経過ともに記憶する。時間経過は、少なくとも、振幅確率を測定するときの時間範囲Δｔ毎に記憶する。さらに、記憶部４００は、範囲分類手段３２０が分類したときの確率分類識別札を該当する振幅確率値に対応して、振幅分類札を該当する振幅値に対応して、かつ測定した周波数に対応して記憶する。また、振幅値、振幅確率値を取得した時効情報もクロック発生部３１０から受けて記憶する。なお、上記の範囲分類手段３２０は、記憶部４００の入力側（ＡＰＤ部３００側）には無く、出力側（表示制御部５００側）に在って、記憶されている振幅確率値又は振幅値が出力されるときに、その振幅確率値又は振幅値がどの分類に属するか判定し、その判定された各分類識別札を添付して出力する構成にしても良い。記憶部４００は、表示制御部５００からアクセスされて最新の記憶内容を読み出し可能にされている。
【００３２】
表示制御部５００は表示を実行する手段であって、大きく分けて、次の（Ｉ）〜（ＩＶ）の要素を備える。つまり、（Ｉ）記憶部４００からの振幅確率値、振幅値、周波数及び時刻情報を所定タイミングで受けて、表示部６００に表示させるためのグラフを生成するグラフ生成部５１０、フルスパン制御部５１２、を備える。（ＩＩ）表示されているグラフ上にマーカを設定するための手段である、指定マーカ生成部５２０、ピークサーチ部及びピークマーカ生成部５５０，ゾーンマーカ生成部５６０及び拡大／縮小制御部５１１、及び数値制御部５１３を備える。（ＩＩＩ）操作部７００からの指示に基づいて、指示に沿った所望のグラフ等を表示部６００に表示するための手段としての画面制御部５３０を備える。並びに（ＩＶ）上記、各表示を行うための共通の座標情報記憶部５８０及び表示フォーマット記憶部５９０を備える。表示制御部５００は、上記（Ｉ）〜（ＩＶ）の各機能を表すプログラムと記憶手段とプログラムを実行させて各機能を実現させるＣＰＵで構成される。なお、座標情報記憶部５８０が記憶している座標情報は、表示されるグラフ、目盛り、各表示欄等の表示画面の位置を特定するのに必要な情報であり、表示フォーマット記憶部５９０が記憶しているフォーマットは、表示されるグラフ、マーカ、目盛り、各表示欄等のレイアウト及図形であり、表示制御部５００の各要部が、表示させようとしたときに、表示する位置を特定し、特定した位置に該当するフォーマットで表示するために用いられる。以下の、各要素での説明では、この座標やフォーマットについての説明は省略する。
【００３３】
グラフ生成部５１０は、記憶部４００に所定タイミングで、例えば、上記した時間範囲Δｔの間隔でアクセスして得られた最新の前記記憶内容に基づいて、記憶されている周波数、振幅、振幅確率及び時間のうち、少なくともいずれか２つを次元とする座標に他の１つをパラメータとする第１のグラフを表示部６００に表示させる。そして、操作者が注視するデータとして、その表示されているグラフ上の２つの次元又はパラメータにおける特定の値又は特定の範囲のいずれかを特定値として指定マーカで指定されているとき、操作部７００からの切り替え指示を受けて、指定マーカで指定された２つの次元又はパラメータをその特定値に固定したときの、指示を受けた新たな組合せの次元及びパラメータについてのグラフに切り替えて生成する。
【００３４】
グラフ生成部５１０は、２次元のグラフを生成する場合は、周波数、振幅、振幅確率及び時間の各次元うち、後記する指定マーカ又はピークマーカで、或いはデフォルトとして、指定（或いは特定）された何れかの次元における特定値を固定値とし、記憶部４００からその特定値が関与する残りの次元のデータを読み出す。そして、その残りの次元のうちの２つの次元のデータを操作部７００から要求されている所望のグラフの横軸（以下、「Ｘ軸」と言う。）と縦軸（以下、「Ｙ軸」と言う。）として割りあて、残りの１つの次元のデータをパラメータとしたグラフを生成して表示部６００に表示させ、さらに、上記所定タイミングで都度、更新して表示させる処理を行う。３次元のグラフを生成する場合は、特定値が指定された次元以外の残りの次元を３次元として割り当てて生成する。
【００３５】
次の（ａ）〜（ｅ）においてグラフ生成部５１０が生成する具体的なグラフ例を説明し、（ｆ）（ｇ）においてグラフの切り替えを説明する。なお、周波数、振幅、振幅確率及び時間の各次元についての処理は、各グラフのいずれも上記した２次元又は３次元のグラフ生成と共通して同じであり、グラフ毎のその説明は割愛する。
【００３６】
図２は、表示用のグラフを複数のグループに分け、各グラフ間の切り替えを示す。グラフのグループとしては、図２のようにスペクトル表示用のグラフ、スペクトログラム表示用のグラフ、チャート表示用のグラフ、函数尺表示用のグラフ、３Ｄ表示用のグラフに分かれる。
なお以下の説明に出てくる各数値は説明上の一例である。  下記の数値例は、操作者が測定時間ｔ＝７９ｓｅｃ、―８０ｄＢｍ≦振幅＜―６０ｄＢｍ、１０％＜ＡＰＤ≦５０％を特に注視して展開したグラフ例である。
（ａ）スペクトラム表示のグラフ
このグループのグラフは、周波数に対する振幅又は振幅確率の変化を観察するのに適しており、次の（ａ−１）ＡＰＤスペクトラムと（ａ−２）レベルスペクトラムがある。
（ａ−１）ＡＰＤスペクトラム：時間（ｔ）を特定値に固定にし、Ｘ軸を周波数（ｆ）、Ｙ軸を振幅確率（ＡＰＤ）とし、振幅範囲（Ｌｖ：レベル）をパラメータとするグラフ（表示例は、図３を参照）。図３は、測定時間が７９ｓｅｃで観察したときの（固定にしたときの）データであり、そのときのパラメータである振幅範囲の値をー２０ｄＢｍ≦振幅（レベル）、―４０ｄＢｍ≦振幅＜―２０ｄＢｍ、―６０ｄＢｍ≦振幅＜―４０ｄＢｍ、―８０ｄＢｍ≦振幅＜―６０ｄＢｍ、で色分けして表示している。マーカ（ＭＫＲ）はマルチマーカとして５つ（図３の「▲」印）を入れてあり、いずれも指定マーカ生成部５２０で生成して表示している。図３では、そのマルチマーカ（ＭＫＲ）の内の一つ、つまりＭＫＲ５が現時点で操作部７００から操作されたばかりのマーカである、アクティブマーカＭＫＲ５として表示され、その周波数がグラフの右側の直ぐ下表示されている。各マーカにおける振幅（レベル）、振幅確率（ＡＰＤ）は、下段の表に示している。指定マーカはＹ軸の１０％＜ＡＰＤ≦５０％の範囲に設定されている。
（ａ−２）レベルスペクトラム：時間（ｔ）を特定値に固定にし、Ｘ軸を周波数（ｆ）、Ｙ軸を振幅（Ｌｖ）とし、振幅確率範囲（ＡＰＤ）をパラメータとするグラフ（表示例は、図４を参照）。図４は、図３と同様に測定時間が７９ｓｅｃで観察したときのデータであり、そのときのパラメータである振幅確率の値を５０％＜ＡＰＤ、１０％＜ＡＰＤ≦５０％、１％＜ＡＰＤ≦１０％、ＡＰＤ≦１％、で色分けして表示している。指定マーカはＹ軸の―６０ｄＢｍ≦振幅＜―４０ｄＢｍの範囲に設定されている。
【００３７】
（ｂ）スペクトログラム表示のグラフ
このグループのグラフは、周波数と時間に対する振幅又は振幅確率の変化を観察するのに適しており、次の（ａ−１）ＡＰＤスペクトログラムと（ａ−２）レベルスペクトログラムがある。
（ｂ−１）ＡＰＤスペクトログラム：振幅（Ｌｖ；レベル）を特定値に固定にし、Ｘ軸を周波数（ｆ）、Ｙ軸を時間とし、振幅確率範囲をパラメータとするグラフ（表示例は、図５を参照）。図５は、振幅範囲を―６０ｄＢｍ≦振幅＜―４０ｄＢｍの範囲で観察したときの（固定したときの）データであり、そのときのパラメータである振幅確率の値を５０％＜ＡＰＤ、１０％＜ＡＰＤ≦５０％、１％＜ＡＰＤ≦１０％、ＡＰＤ≦１％、で色分けして表示している。そして指定マーカが縦軸の時間ｔ＝７９ｓｅｃに設定されている。
（ｂ−２）レベルスペクトログラム：振幅確率範囲（ＡＰＤ）を特定値に固定にし、Ｘ軸を周波数（ｆ）、Ｙ軸を振幅（Ｌｖ；レベル）とし、振幅範囲をパラメータとするグラフ（表示例は、図６を参照）。図６は、振幅確率範囲を１０％＜ＡＰＤ≦５０％で観察したときの（固定したときの）データであり、そのときのパラメータである振幅範囲の値をー２０ｄＢｍ≦振幅（レベル）、―４０ｄＢｍ≦振幅＜―２０ｄＢｍ、―６０ｄＢｍ≦振幅＜―４０ｄＢｍ、―８０ｄＢｍ≦振幅＜―６０ｄＢｍ、で色分けして表示している。そして、この場合も、指定マーカが縦軸の時間ｔ＝７９ｓｅｃに設定されている。
【００３８】
（ｃ）チャート表示のグラフ
このグループのグラフは、周波数毎に、振幅又は振幅確率の時間経過を観察するのに適しており、次の（ｃ−１）ＡＰＤチャート及び（ｃ−２）レベルチャートがある。
（ｃ−１）ＡＰＤチャート：振幅範囲（Ｌｖ；レベル）を特定値に固定にし、周波数（ｆ）毎（つまり、周波数がパラメータ）にＸ軸を時間（ｔ）、Ｙ軸を振幅確率（ＡＰＤ）とするグラフ（表示例は、図７を参照）。図７は、振幅範囲を―６０ｄＢｍ≦振幅＜―４０ｄＢｍにおける振幅確率を観察したときの（固定したときの）データであり、そして指定マーカが縦軸の時間ｔ＝７９ｓｅｃに設定されている。
（ｃ−２）レベルチャート：振幅確率範囲（ＡＰＤ）を特定値に固定にし、周波数（ｆ）毎（つまり、周波数がパラメータ）にＸ軸を時間（ｔ）、Ｙ軸を振幅（Ｌｖ）とするグラフ（表示例は、図８を参照）。図８は、振幅確率範囲を１０％＜ＡＰＤ≦５０％で観察したときの（固定したときの）データであり、そして指定マーカが縦軸の時間ｔ＝７９ｓｅｃに設定されている。
【００３９】
（ｄ）函数尺グラフ
このグラフは、振幅と確率が直接にどのような関係にあるかを観察するのに適している。一般には、リニアな座標、或いは一方が対数尺で表示することが多いが、雑音の振幅確率を測定するときは、雑音の発生現象に着目した見方として、レイリー関数尺で表したグラフがある。測定する信号が雑音であるとすると、レイリー分布、正規分布、指数分布、χ２分布等の函数尺があると便利である。函数尺については、本出願人に係る技術であって特許第３３７４１５４号公報に記載された技術がある。
【００４０】
ここでは、対数尺とレイリー函数尺を準備しているとして説明する。つまり、時間を特定値に固定にし、Ｘ軸を振幅（Ｌｖ）、Ｙ軸を振幅確率（ＡＰＤ）とし、周波数（ｆ）をパラメータとするグラフであって、少なくとも一方を対数函数とするグラフ、少なくとも一方をレイリー函数とするグラフを生成する（表示例は、図９のレイリー尺グラフ、図１０の対数尺グラフを参照）。図９は、時間ｔ＝７９ｓｅｃで、横軸をレイリー尺の振幅確率とし、縦軸をｄＢのリニアで振幅を表した例で、指定マーカが振幅確率―６０ｄＢｍ≦振幅＜―４０ｄＢｍの範囲内の位置にある。図１０は、時間ｔ＝７９ｓｅｃで、横軸をｄＢ（対数）のリニアで振幅とし、縦軸を対数尺で振幅確率を表した例で、指定マーカが振幅確率１０％＜ＡＰＤ≦５０％の範囲内の位置にある。
【００４１】
（ｅ）３Ｄグラフ
このグループのグラフは、できるだけ多次元で全体の傾向を観察するのに適しており、次の（ｅ−１）３Ｄ−ＡＰＤ及び（ｅ−２）３Ｄ―振幅がある。
（ｅ−１）３Ｄ−ＡＰＤグラフ：振幅範囲（Ｌｖ；レベル）を特定値に固定にし、３軸のうち、Ｘ軸を時間（ｔ）、Ｙ軸を周波数、奥行き方向の軸（以下、「Ｚ軸」と言う。）を振幅確率（ＡＰＤ）とするグラフ（表示例は、図１１を参照）。図１１は、振幅範囲を―６０ｄＢｍ≦振幅＜―４０ｄＢｍで観察したときの（固定したときの）データであり、そして指定マーカが縦軸の時間ｔ＝７９ｓｅｃに設定されている。
（ｅ−２）３Ｄ−レベルグラフ：振幅確率範囲（ＡＰＤ）を特定値に固定にし、３軸のうち、Ｘ軸を時間（ｔ）、Ｙ軸を周波数（ｆ）、Ｚ軸を振幅（Ｌｖ；レベル）とするグラフ（表示例は、図１２を参照）。図１２は、振幅確率範囲を１０％＜ＡＰＤ≦５０％で観察したときの（固定したときの）データであり、そして指定マーカが縦軸の時間ｔ＝７９ｓｅｃに設定されている。
【００４２】
上記（ａ）〜（ｂ）を纏めると次のことが言える。つまり、グラフ生成部５１０は、先のグラフとして表示部６００に前記周波数、前記振幅、前記振幅確率及び前記時間のうち、少なくともいずれか２つを次元とする座標に他の１つをパラメータとするグラフ（第１のグラフ）を表示させているとき、指定マーカ生成部５２０で、その第１のグラフ上の前記２つの次元又はパラメータにおける特定の値又は特定の範囲のいずれかを特定値としているときに、操作部７００からの指定マーカで指定された前記２つの次元又はパラメータの特定値に固定したときの、新たな組合せの次元及びパラメータについての第２のグラフを生成して表示させる。その時の切り替え先の第２のグラフとしては、周波数、振幅、振幅確率及び時間のうち、特定値を指定された次元又はパラメータとなる１つを除く、３つのうちいずれか２つを次元とする座標上に残りの１つをパラメータとする新たなグラフを生成することになる。
【００４３】
（ｆ）グループ間のグラフの切り替え
図２は、グラフ間での切り替えを示す図である。切り替えにあたっては、切り替え元のグラフ上で所望の切り替え先のグラフの特定値を指定マーカで指定し、該当するグラフを指示することにより切り替えられる。
【００４４】
つまり、表示部６００に表示されるグラフの切り替えは、画面制御部５３０が操作部７００からのグラフ要求指示にしたがって、グラフ生成部５１０に指示して切り替えさせる。そのとき、画面制御部５３０は、表示部６００に表示されているグラフ上で、指定マーカにより２つの次元又はパラメータにおける特定値（或いは特定の範囲）を特定値として指定されている状態で、操作部７００からの切り替え指示を受けたとき、その特定値を指定された２つの次元又はパラメータを特定値に固定したときの、新たな所望の組合せの次元及びパラメータについてのグラフをグラフ生成部５１０に生成させる。例を、次に説明する。なお、表示したい所望のグラフは、操作部７００で、上記（ａ）から（ｅ）までのグラフ名を選択指示することによって行われる。以下図２及び図３から図１２を元に個別の切り替えについて説明する。
【００４５】
（ｆ−１）スペクトログラム表示からスペクトル表示への切り替え
先に図５（又は図６）のグラフが表示されていて指定マーカが時間軸の時間ｔ＝７９ｓｅｃを特定値と指定して図３（又は図４）に切り替えられたとき、グラフ生成部５１０は、上記（ａ）に記載のように、Ｘ軸を周波数（ｆ）、Ｙ軸を振幅確率（又は振幅）とし、時間ｔ＝７９ｓｅｃを固定し、この時間ｔ＝７９ｓｅｃにおける振幅及び振幅範囲（又は振幅確率及び振幅確率範囲）を記憶部４００から読み出して、読み出した振幅及び振幅範囲（又は振幅確率及び振幅確率範囲）をパラメータとするグラフを生成する。
【００４６】
（ｆ−２）スペクトル表示からスペクトログラム表示への切り替え
先に図３（又は図４）のグラフが表示されていて指定マーカが振幅確率範囲１０％＜ＡＰＤ≦５０％（又は振幅範囲―６０ｄＢｍ≦振幅＜―４０ｄＢｍ）を指定しているときに、図５（又は図６）に切り替えられたとき、グラフ生成部５１０は、上記（ａ）に記載のように、Ｘ軸を周波数（ｆ）、Ｙ軸を時間とし、振幅確率範囲１０％＜ＡＰＤ≦５０％における振幅範囲（又は振幅―６０ｄＢｍ≦振幅＜―４０ｄＢｍにおける振幅確率範囲）を記憶部４００から読み出して、読み出した振幅範囲（又は振幅確率範囲）をパラメータとするグラフを生成する。このとき、図５（図６）には、図３（又は図４）における特定値ｔ＝７９ｓｅｃに該当する位置に、指定マーカが付されている。
【００４７】
（ｆ−３）チャート表示とスペクトル表示間の切り替え
例えば、図７（又は図８）のグラフから特定値ｔ＝７９ｓｅｃを指定して図３（又は図４）のグラフへ切り替え可能であり、逆に図３（又は図４）のグラフで特定値として、振幅確率範囲１０％＜ＡＰＤ≦５０％（又は振幅範囲―６０ｄＢｍ≦振幅＜―４０ｄＢｍ）を指定して、図７（又は図８）へのグラフ記切り替え可能である。
【００４８】
（ｆ−４）チャート表示とスペクトログラム表示間の切り替え
同様に、例えば、図５（又は図６）のグラフと図７（又は図８）のグラフの間の切り替えは、特定値を例えば、振幅確率範囲１０％＜ＡＰＤ≦５０％における振幅範囲（又は振幅―６０ｄＢｍ≦振幅＜―４０ｄＢｍにおける振幅確率範囲）のまま同じにしておいて、互いのグラフの２次元とパラメータを変えることで、切り替え可能である。
【００４９】
（ｆ−５）函数尺表示とスペクトル表示間の切り替え
例えば、図９のグラフと図３（又は図４）のグラフとの切り替えは、特定値を例えば、時間ｔ＝７９ｓｅｃのまま同じにしておいて、互いのグラフの２次元とパラメータを変えることで、切り替えることで可能である。
【００５０】
（ｆ−６）函数尺表示とスペクトログラム表示又はチャート表示間の切り替え
図９のグラフで特定値を、例えば、振幅確率範囲１０％＜ＡＰＤ≦５０％における振幅範囲（又は―６０ｄＢｍ≦振幅＜―４０ｄＢｍにおける振幅確率範囲）を指定して、図５（図６）又は図７（図８）のグラフへ切り替える。逆に、図５（図６）又は図７（図８）のグラフで特定値として時間ｔ＝７９ｓｅｃを設定して、図９のグラフへ切り替え可能である。
【００５１】
（ｆ−７）３Ｄグラフ（図１１、図１２）と他のグラフとの間の切り替え
図１１，図１２は、指定マーカによる特定値がＺ軸（奥行き方向）の時間ｔ＝７９ｓｅｃであり、この状態から図３（図４）への切り替え可能である。指定マーカでＸ軸＝周波数又はＹ軸＝振幅確率（振幅）の特定値を指定して、図５〜図１０への切り替えが可能である。これらの逆の切り替えも可能である。
【００５２】
上記のようなグラフの切り替えによって、操作者が測定時間ｔ＝７９ｓｅｃ、―８０ｄＢｍ≦振幅＜―６０ｄＢｍ、１０％＜ＡＰＤ≦５０％を特に注視したとき、各注視点を中心に展開したグラフを観察できる。注視点を変更して、同様の観察ができる。
【００５３】
（ｇ）グループ内のグラフの切り替え
図２のスペクトル表示グループ内のグラフ（図３と図４）、スペクトログラム表示グループ内のグラフ（図５と図６）における同じグループ内の切り替えは、画面制御部５３０が操作部７００からの指示で、パラメータを振幅範囲又は振幅確率範囲の何れかに切り替えることで達成できる。チャート表示グループ内のグラフ（図７と図８）、３Ｄ表示グループ内のグラフ（図１１と図１２）における同じグループ内の切り替えは、Ｙ軸を振幅又は振幅確率の何れかに切り替えることで達成できる。函数尺表示グループ内のグラフの切り替えは、函数尺の種類を切り替えることで達成できる。
【００５４】
指定マーカ生成部５２０は、上記したように表示されているグラフ上に、操作部７００からの指示で各グラフの座標を構成する各次元を指定することができる（例えば、図５を参照）。そして、その特定値は、次の切り替え先のグラフで固定値に固定され、その固定値を中心に展開したグラフを得ることができる。
【００５５】
指定マーカ生成部５２０は、また、操作部７００からの指示で各グラフの座標を構成する各次元の指定ばかりでなく、パラメータ（或いはそのスケール）を指定することもできる。そして、その特定値は、次の切り替え先のグラフ固定値に固定され、その固定値を中心に展開したグラフを得ることができる。例えば、図５におけるパラメータのスケールである、「振幅確率範囲の識別表示」箇所にサブマーカ（指定マーカの一種類として）を置くことで指定し、このサブマーカで指定された振幅確率範囲を特定値として、次のグラフを展開することもできる。図５では、サブマーカをパラメータのスケールのところに設定したが、グラフ中（座標内）のパラメータを直接指す位置に設定しても良い。
【００５６】
指定マーカ生成部５２０は、指定マーカの他に、単一のマーカ（ＭＫＲ）又は複数のマルチマーカ（ＭＫＲ）を生成して、表示させることができる。図５では、５つのマーカをＸ軸（周波数軸）に設定された例である。図５の場合、数値制御部５１３は、そのマルチマーカ点における、かつ特定値ｔ＝７９ｓｅｃにおける、周波数、振幅（レベル）及び振幅確率（ＡＰＤ）を記憶部４００から読み出して、図５の下段に表示させる。つまり、単一又はマルチマーカは、そのマーカ点におけるデータを数値で読み取るためのものであると同時に、グラフ表示されている値以外のデータの値も読み取り、表示することができる。単一マーカの例を図９に示す。
【００５７】
ピークサーチ部５４０は、所定のグラフを表示しているときに、画面制御部５３０を介して操作部７００からピークをサーチする範囲の指定を受けてその範囲におけるピーク位置を求める。そして、ピークマーカ生成部５５０は、その表示されているグラフ上に、ピーク位置を示すマーカを生成して、表示部６００に表示させる。例えば、図１３に示すような、レベルチャート（振幅がＹ軸、時間が横軸）のグラフ上で、１０％＜ＡＰＤ≦５０％の範囲におけるピークマーカの表示要求があったとき、ピークサーチ部５４０は、記憶部４００にアクセスして１０％＜ＡＰＤ≦５０％の範囲で各周波数における振幅（レベル）がピークとなるＸ軸、Ｙ軸の位置をサーチするとともに、同時にそのピーク位置における振幅及び振幅確率を読みとる。そして、ピークマーカ生成部５５０は、ピーク位置にピーク位置を示すマーカを生成して表示させ、かつ数値制御部５１３がピーク位置における振幅及び振幅確率を表示させる（図１３の白抜き表示を参照）。
なお、ピークマーカはパラメータの最大値を示すので、そのピークマーカで指定されたパラメータの特定値を特定するものとして、前記指定マーカの代わりにピークマーカで特定された値を特定値に用いて、上記（ｆ）のようにグラフを切り替えることも可能である。
【００５８】
フルスパン制御部５１２は、例えば、図１４（ａ）に示すレベルチャートのグラフが右端をカンレト時間位置（現在時間位置）として５分前からの振幅変化を表示しているとき、操作者が、測定開始からのレベル変化を観測したい旨の要求としたとき、その要求を、画面制御部５３０を介して受けたフルスパン制御部５１２が、グラフ生成部５１０に対して、測定開始時刻（０時刻）から現在時刻まで（フルスパン；Ｆｕｌｌ  Ｓｐａｎ）のレベル変化を示すレベルチャートを、例えば図１４（ｂ）に示すグラフを生成させて、それ表示部６００に表示させる。フルスパン制御については、レベルチャートのグラフで説明したが、上記、他のグラフであっても実行できる。
【００５９】
ゾーンマーカ生成部５６０は、表示されているグラフ上であって、操作部７００から指示される位置及び幅に、ゾーンを示すマーカを生成して表示させる。図１４（ｂ）のゾーンマーカを参照。そのゾーンがグラフに表示されているとき、操作部７００から拡大指示を、画面制御部５３０を介して受けた拡大／縮小制御部５１１は、そのグラフの指定された範囲を拡大（画像を拡大）したグラフをグラフ生成部５１０に生成させ、表示部６００に拡大表示させる。図１４（ｃ）を参照。図１４（ｃ）を表示しているときに、次に縮小指示を受けた拡大／縮小制御部５１１は、そのグラフの指定された範囲を縮小（画像を縮小）したグラフをグラフ生成部５１０に生成させ、図１４（ｂ）のように表示部６００に拡大表示させる。ゾーンマーカ、及び拡大／縮小の制御については、レベルチャートのグラフで説明したが、上記、他の種類のグラフであっても実行できる。
【００６０】
画面制御部５３０は、各部を説明しているときに既に説明したように、操作部７００からの指示を受け、表示制御部５００内の各部を制御する。
【００６１】
上記の表示制御部５００は、上記説明した機能・動作を記載したプログラムと、それを実行するＣＰＵで構成される。なお、図１の表示制御部５００を構成する各要部の組合せは、必ずしも図１の通りである必要はなく、上記した機能・動作を実行するうえで、或いはそれを設計するうえで、より合理的に組み替え変更されるものである。上記した機能・動作を実行する構成である限り、本発明の範疇である。
【符号の説明】
【００６２】
１００  周波数分析部、  １１０  帯域選択手段、  １２０  Ａ／Ｄ変換手段、
１３０  周波数選択手段、  ２００  レベル検出部、  ３００  ＡＰＤ部、
３１０  クロック発生部、  ３２０  範囲分類手段、  ４００  記憶部、
５００  表示制御部、  ５１０  グラフ生成部、  ５１１  拡大／縮小制御部、
５１２  フルスパン制御部、  ５１３  数値制御部、  
５２０  指定マーカ生成部、５３０  画面制御部、  ５４０  ピークサーチ部、
５５０  ピークマーカ生成部、  ５６０  ゾーンマーカ生成部、
５８０  座標情報記憶部、  ５９０  表示フォーマット記憶部、  ６００  表示部、
７００  操作部、８００  制御部
【図１】
2010237151.tif 000003
【図２】
2010237151.tif 000004
【図３】
2010237151.tif 000005
【図４】
2010237151.tif 000006
【図５】
2010237151.tif 000007
【図６】
2010237151.tif 000008
【図７】
2010237151.tif 000009
【図８】
2010237151.tif 000010
【図９】
2010237151.tif 000011
【図１０】
2010237151.tif 000012
【図１１】
2010237151.tif 000013
【図１２】
2010237151.tif 000014
【図１３】
2010237151.tif 000015
【図１４】
2010237151.tif 000016